(57)【要約】      （修正有）【課題】２つの折りたたみ部品および／または２つのアクティブ動作モードを有するユーザ・インターフェースを備えるポータブル電子通信機器を提供する。【解決手段】電子通信機器は、第１表面および反対側の第２表面をそれぞれ有する第１部材および第２部材であって、ユーザ・インターフェースが第１部材の第１表面に設けられる第１部材および第２部材と、第１部材と第２部材を移動可能に接続し、それによってユーザ・インターフェースの第１アクティブ動作モードでは、第１部材および第２部材が開いた位置で離れて配置され、第２アクティブ動作モードでは、第１部材および第２部材が第１の閉じた位置に一緒に配置されて、第１部材の第２表面が他方の部材の一方の表面に向かって閉じられるようにするための接続手段とを含む。したがって単一ディスプレイをハンドセットの折りたたんだ構成または折りたたんでいない構成で使用することが可能となる。【選択図】図１
2010035196.tif 000002
【特許請求の範囲】
【請求項１】
少なくとも３つの動作モードを有し、ディスプレイを備える第１ユーザ・インターフェースとキーパッドを備える第２ユーザ・インターフェースとを含むポータブル通信装置であって、
第１筐体および第２筐体であって、各筐体が第１表面および反対側の第２表面を有し、前記第１ユーザ・インターフェースが前記第１筐体の第１表面に設けられ、前記第２ユーザ・インターフェースが前記第２筐体の第１表面に設けられる第１筐体および第２筐体と、
前記第１筐体および第２筐体を移動可能に接続する接続機構であって、互いに関連して前記第１筐体および第２筐体の位置が前記装置の動作モードを決定する接続機構とを含み、
前記第１筐体および第２筐体が接続され、第２の閉じた位置に一緒に配置される場合、前記第１筐体の第２表面が他の筐体の一方の表面に向かって閉じられ、前記第１および第２ユーザ・インターフェースの両方が完全にアクセス可能であり、前記装置は、前記第１ユーザ・インターフェースがアクティブかつ前記第２ユーザ・インターフェースが非アクティブである動作のスタンバイ・モードであり、
前記第１筐体および第２筐体が接続され、第１の閉じた位置に一緒に配置される場合、前記第１筐体の第１表面が他の筐体の一方の表面に向かって閉じられ、前記第１および第２ユーザ・インターフェースがアクセス不能であり、前記装置は、前記第１および第２ユーザ・インターフェースの両方が非アクティブである動作の非アクティブモードであり、
前記第１筐体および第２筐体が接続され、開いた位置で互いに離れて配置される場合、前記装置は、前記第１および第２ユーザ・インターフェースの両方が完全にアクセス可能かつアクティブである動作のアクティブモードであるポータブル通信装置。
【請求項２】
１つだけのディスプレイを備える請求項１に記載のポータブル通信装置。
【請求項３】
前記第１の閉じた位置でスイッチオフされる請求項１に記載のポータブル通信装置。
【請求項４】
携帯電話機器である請求項１に記載のポータブル通信装置。
【請求項５】
前記第１ユーザ・インターフェースの有効サイズが、前記動作のアクティブモードまたは前記スタンバイ・モードで同じである請求項１に記載のポータブル通信装置。
【請求項６】
前記第２の閉じた位置の前記スタンバイ・モードで、前記第１ユーザ・インターフェースが前記スタンバイ・モードに関連する情報を表示することができる請求項１に記載のポータブル通信装置。
【請求項７】
前記第１ユーザ・インターフェースが液晶表示（ＬＣＤ）である請求項１に記載のポータブル通信装置。
【請求項８】
前記動作のアクティブモードが動作の第１アクティブモードである請求項１に記載のポータブル通信装置。
【請求項９】
前記動作のスタンバイ・モードが動作の第２アクティブモードである請求項１に記載のポータブル通信装置。
【請求項１０】
ユーザが、前記ポータブル通信装置が各々の閉じた構成である際に自動的に選択される、各々の閉じた構成における前記ポータブル通信装置の構成を決定する請求項１に記載のポータブル通信装置。
【発明の詳細な説明】
【技術分野】
【０００１】
本発明は、ポータブル電子機器に関し、詳細には２つの折りたたみ可能部品を有する通信機器に関する。本発明は、特に携帯電話や携帯情報端末などのポータブル通信装置に関するが、それだけに限定されない。
【背景技術】
【０００２】
折りたたみカバーを利用した携帯電話ハンドセットは良く知られている。そのような装置において、電話がスタンバイ状態にあり、またはスイッチオフされているとき、折りたたみカバーが閉じられ、電話の本体が覆われる。呼出しを行うときなどの使用の際に、カバーが開かれる。
【０００３】
そのようなハンドセットには、ユーザが話しかけるマイクロフォンを単に設ける折りたたみカバーを単に備えるものもある。折りたたみカバーのサイズは、ハンドセットの本体に比べて小さい。
【０００４】
その他のそのようなハンドセットは、電話の機能要素をそれぞれ含む、ほぼ同サイズの２つの部品を備える。一方の部品は、電話用のキーパッドを収容することができ、他方の部品は、電話用のディスプレイを収容することができる。この２つの部品は、電話が使用されていないとき、またはスタンバイ状態のときに折りたたむことができる。通常、そのようなハンドセットの２つの部品は、閉じられたときに、ユーザ・ディスプレイおよびキーパッドであるハンドセットの機能表面を完全に覆うことができる。そのようなハンドセットは、「クラムシェル」ハンドセットと表現することができる。
【０００５】
そのようなハンドセットの特定の利点は、ハンドセットが閉じられたときに、物理的にずっと小型になり、したがって持ち運びをするのにかさばらないことである。
【０００６】
そのような機器に伴う欠点は、電話を閉じたときに、電話の高価な構成部品である大型ディスプレイを使用できないことである。ユーザは、装置が閉じられた位置にあるときに、例えば装置がまだスタンバイ状態にあるかどうか、ユーザ・ディスプレイを確認したいと望むことがある。しかし、ディスプレイを可視状態にするためには、閉じられた電話をそのような小型のサイズに折りたたむことは不可能である。
【０００７】
２つのディスプレイを備えるハンドセットを提供することにより、この問題に対する解決策が提案された。通常のディスプレイは、ハンドセットが開いているときのために設けられる。第２のディスプレイは、ハンドセットが閉じられており、第１のディスプレイにアクセス不能であるときのために設けられる。構造的制約のために、第２のディスプレイは通常、第１のディスプレイよりも小さい。通常は、２つのディスプレイを、ハンドセットの折りたたみ部品またはクロージング部品の反対側に設けることができる。
【０００８】
このような解決策に伴う欠点は、第２のディスプレイを設けることにより、ハンドセットの材料コストが増加することである。加えて、２つのディスプレイを設けることは、技術開発資源を必要とする。さらに、より複雑な設計を用いることにより、信頼性の問題が増大する。
【発明の概要】
【発明が解決しようとする課題】
【０００９】
本発明の目的は、上述の問題のうちの１つまたは複数に対処する改良型の機器を提供することである。
【課題を解決するための手段】
【００１０】
本発明によれば、２つのアクティブ動作モードを有するユーザ・インターフェースを含むポータブル電子通信機器が提供される。この機器は、第１表面および反対側の第２表面をそれぞれ有する第１部材および第２部材であって、ユーザ・インターフェースが第１部材の第１表面に設けられる第１部材および第２部材と、第１部材と第２部材を移動可能に接続し、それによってユーザ・インターフェースの第１アクティブ動作モードでは、第１部材および第２部材が開いた位置で離れて配置され、ユーザ・インターフェースの第２アクティブ動作モードでは、第１部材および第２部材が第１の閉じた位置に一緒に配置されて、第１部材の第２表面が他方の部材の一方の表面に向かって閉じられるようにするための接続手段とを含む。
【００１１】
好ましくは、ユーザ・インターフェースの第３動作モードでは、第１インターフェースおよび第２インターフェースが第２の閉じた位置に一緒に配置され、それによって第１部材の第１表面が他方の部材の一方の表面に向かって閉じられ、ユーザ・インターフェースにアクセス不能となる。第３動作モードでは、ユーザ・インターフェースは非アクティブであることが好ましい。
【００１２】
ユーザ・インターフェースはディスプレイであることが好ましい。この機器は、単一ディスプレイを備えることが好ましい。したがって、単一ディスプレイは、機器が開いた構成と、第１の閉じた構成で使用される。
【００１３】
別の態様では、本発明は、第１表面および反対側の第２表面をそれぞれ有する第１部材および第２部材と、第１部材の第１表面に設けられるユーザ・インターフェースと、第１部材と第２部材を移動可能に接続し、それによって第１の閉じた位置では、第１部材の第１表面が第２部材の表面に向かって閉じられ、第２の閉じた位置では、第１部材の第２表面が第２部材の表面に向かって閉じられるようにするための接続手段とを含むポータブル電子通信機器を提供する。
【００１４】
さらに別の態様では、本発明は、第１表面および反対側の第２表面をそれぞれ有する第１部材および第２部材と、第１部材の第１表面に設けられる第１ユーザ・インターフェースと、第１部材または第２部材の第１表面に設けられる第２ユーザ・インターフェースと、第１部材と第２部材を移動可能に接続し、それによって第１の閉じた位置では、各部材の第２表面が互いに閉じられる接続手段とを含むポータブル電子通信機器を提供する。
【００１５】
したがって、本発明は、ハンドセットが折りたたまれるときにユーザ・ディスプレイが外側に設けられるハンドセットを提供する。したがって、このハンドセットでは、折りたたんだ構成または折りたたんでいない構成のどちらでも単一ディスプレイを利用することができる。したがって、故障する構成部品が少なく、信頼性が向上するので、材料および技術開発資源のコストを減少させることができる。
本明細書では、添付の図面に示す例を参照しながら本発明を説明する。
【図面の簡単な説明】
【００１６】
【図１】本発明による例示的通信装置の通常動作モードでの斜視図である。
【図２】本発明による例示的通信装置のスイッチオフ動作モードでの斜視図である。
【図３】本発明による例示的通信装置のスタンバイ動作モードでの斜視図である。
【図４Ａ】本発明の様々な開いた位置および閉じた位置による例示的通信装置の側面図である。
【図４Ｂ】本発明の様々な開いた位置および閉じた位置による例示的通信装置の側面図である。
【図４Ｃ】本発明の様々な開いた位置および閉じた位置による例示的通信装置の側面図である。
【発明を実施するための形態】
【００１７】
本明細書では、特定の非限定的な例を参照しながら本発明を説明する。しかし、本発明はそのような例に限定されない。
【００１８】
具体的には、本明細書では携帯電話ハンドセットの例を参照しながら本発明を説明する。しかし、携帯情報端末（ＰＤＡ）などの他の装置にも本発明を同様に適用することができる。
【００１９】
図１を参照すると、全体を参照数字２で示す、本発明を有利に利用することができる例示的な携帯電話ハンドセットが示されている。
【００２０】
この例示的ハンドセットは、全体を参照数字６および８で示す２つの部材からなる。記載の実施形態では、各部材６および８は、電子回路用の筐体を備える。
【００２１】
部材８は、全体を参照数字１４で示す、装置のユーザ入力部品、例えばキーパッド用の筐体を備える。キーパッド１４は、キー１６などの１組のキーを含む。当技術分野で周知のように、キーパッド１４は、ユーザが情報を入力するのに用いられる。キーパッド１４は、部材８の第１表面２２に設けられる。
【００２２】
部材６は、全体を参照数字１８で示す、ユーザ・ディスプレイ、例えばＬＣＤ（液晶ディスプレイ）用の筐体を備える。当技術分野で周知のように、ディスプレイ１８は、ユーザに対して情報を表示するのに用いられる。ディスプレイは、部材６の第１表面２０に設けられる。
【００２３】
筐体６および８はそれぞれ、ハンドセット２の動作のための電子機器を含むことができる。
【００２４】
部材６はヒンジ要素１０を備え、部材８は、対応するヒンジ要素１２を備える。ヒンジ要素１０および１２は、部材６および８それぞれが回転可能となるように接続手段４によって結合される。図１で全体を参照数字２８で示す軸は、一般に、部材６および８がその周りに回転する公称軸を表す。部材６と８の接続の特定の実装を、以下で図４を参照しながらさらに説明する。一般には、部材６および８は移動可能に接続される。
【００２５】
図１に示すように、第１部材６および第２部材８の第１表面２０および２２はそれぞれ、ユーザ・インターフェースを備える。加えて、第１部材および第２部材は、それぞれ第２表面２４および２６を有する。各部材６、８の第２表面は、それぞれの第１表面と反対側である。第１表面および第２表面は概して矩形であり、部材６、８の主要面である。
【００２６】
図１では、第１部材６および第２部材８が互いに離れる向きに全体的に延びるように、一般軸２８の周りに逆方向に回転して、ハンドセットが「開いた」位置として示されている。図１では、２つの部材６、８の各表面が概して同一平面内にあり、１８０°の角度をなすように示されているが、実際には、各部材間の角度が１８０°未満となるように各部材を配置することもできる。
【００２７】
図１の「開いた」位置は、「折りたたみ（ｆｏｌｄ−ｏｖｅｒ）ハンドセット」に関して当技術分野で周知の位置に対応する。図１に示す位置では、ハンドセットを使用する準備ができており、キーパッドとディスプレイはどちらも、ユーザにとってアクセス可能である。部材６、８はそれぞれ、接続手段４から離れた方の端部に、ハンドセットのマイクロフォンおよびスピーカを収容することが好ましい。したがって例えば、ハンドセットの受話器口を、部材６の第１表面の、接続手段４から離れた方の端部に設けることができ、ハンドセットのマイクロフォンを、部材８の第１表面の、接続手段４から離れた方の端部に設けることができる。
【００２８】
図１では、２つの部材６および８が、ほぼ同じサイズおよび形状として示されている。しかし、本発明はそのような構成に限定されない。本発明は、部材の相対的なサイズまたは形状の如何に関わらず、２つの部材が互いに「折りたたまれる」ように構成される任意の構成に適用される。
【００２９】
図１はまた、一方の部材がキーパッドを収容し、他方の部材がディスプレイを収容することも示している。本発明はそのような構成に限定されない。本発明は、キーパッド１４およびディスプレイ１８が共に筐体６の第１表面２２に設けられ、筐体８が単にフリップ・カバーである場合にも同様に適用される。
【００３０】
しかし、有利なことに、本発明は、ディスプレイ１８が通常は「閉じた」位置で覆われる構成に適用可能であり、図１はそのような構成の典型的な構成を表す。
【００３１】
図１の構成で構成された携帯電話機器では、電話は通常、例えば呼出しを行い、かつ呼出しを受けるように電話を使用可能であるアクティブ動作モードにある。ディスプレイ１８はアクティブ動作モードにある。ディスプレイは、着信呼出し番号、ダイヤルした番号、ネットワーク状況などの情報を表示する。
【００３２】
図２を参照すると、第１の閉じた位置にある図１のハンドセット２が示されている。この第１の閉じた位置では、第１部材および第２部材のそれぞれの第１表面が互いに閉じられるように、第１部材および第２部材が互いに閉じられる。したがって図１を参照すると、部材６、８が、図１の矢印３０で示す方向に向かって閉じられる。
【００３３】
その結果、第１表面２０と２２が対向する。図２に示すように、ハンドセットの製造精度、特に接続手段４および協働するヒンジ要素１０、１２の製造精度に依存するギャップ３６が存在する。理想的にはギャップは存在しない。表面２０および２２のそれぞれが、表面の周りに縁を備えることができ、各第１表面が一緒になるときに、その各縁は係合することができる。各表面を一緒にしたときに各表面が閉じるように、ディスプレイ１８およびキーパッド１４をそれぞれの部材６、８中にくぼませることができる。
【００３４】
図２に示す閉じた位置では、ハンドセットのディスプレイもキーパッドもアクセス可能ではない。このような閉じた位置でスタンバイ状態となるように電話を適合させることができるが、ユーザは、例えばディスプレイを確認して着信呼出しを識別することができない。大部分のハンドセットの設計では、ハンドセットを開くと自動的に呼出しに応答する。
【００３５】
図２の閉じた位置はまた、電話がスイッチオフされ、動作不能であることを表す可能性もある。したがって図２の構成では、電話機器がスイッチオフされ、非アクティブである可能性がある。ディスプレイ１８を見ることができず、またはアクセス可能でないとき、非アクティブ状態またはスイッチオフ状態にあることが好ましい。
【００３６】
したがって、図２に示すように、ハンドセットは、アクティブな使用状態にないときにその寸法を縮小するため、軸２８に沿って折りたたまれるように設計される。軸２８は、図示する例での中心線を形成する。しかし、折りたたみが中心線に沿う必要はない。
【００３７】
図２の構成は、携帯電話ハンドセットを折りたたむための従来の構成を表し、このような構成は当技術分野で周知である。
【００３８】
図３を参照すると、本発明の好ましい実施形態による、第２の閉じた位置にある図１のハンドセット２が示されている。この第２の閉じた位置では、第１部材および第２部材のそれぞれの第２表面が互いに閉じられるように、第１部材および第２部材が互いに閉じられる。したがって図１を参照すると、部材６、８が、図１の矢印３４で示す方向に向かって閉じられる。
【００３９】
その結果、第２表面２４および２６が対向する。図３に示すように、ハンドセットの製造精度に依存するギャップ３８が存在する。図２のギャップ３６を参照しながら上記で論じたように、理想的にはギャップは存在しない。表面２４および２６のそれぞれは、表面の周りに縁を備えることができ、各第２表面が一緒になるときに、その各縁は係合することができる。各表面を一緒にしたとき、各表面を単に閉じることができる。
【００４０】
図３に示す第２の閉じた位置では、部材６の第１表面２０のディスプレイ１８は、ユーザにとってアクセス可能である。したがって、ユーザはディスプレイ１８を使用可能である。図３に示す第２の閉じた位置に構成される電話機器では、ディスプレイ１８は第２アクティブ動作モードを有する。このモードでは、ディスプレイは、電話のスタンバイ状態に関連する情報を表示することができる。加えて、図３には図示していないが、部材８の第１表面のキーパッド１４が、ユーザにとってアクセス可能である。
【００４１】
このハンドセットは、このような閉じた位置でスタンバイ状態となるように適合させることができ、ユーザは、例えばディスプレイを確認して着信呼出しを識別することができる。
【００４２】
図３の第２の閉じた位置はまた、電話がスイッチオフされ、動作不能であることを表す可能性もある。
【００４３】
したがって図３の構成では、本発明の好ましい実施形態によれば、このハンドセットはさらに、折りたたまれたときにディスプレイが外側となるように折りたたまれるように適合される。
【００４４】
図３に示すように適合されたハンドセットを提供することには、いくつかの利点がある。ハンドセットが第２の閉じた位置にあるときのディスプレイが、開いた位置にあるディスプレイと同じであるので、ディスプレイ・サイズが最大になる。単一ディスプレイを使用することにより、ハンドセットの構成部品の数が削減され、したがってハンドセットの容積および質量が削減される。材料を最小限に抑えることにより、環境的節約が実現される。第２の閉じた位置を設けることにより、スタンバイ・モードまたはスイッチオフ・モードでの電話の外観を、第１の閉じた位置と第２の閉じた位置とに変更する選択肢のある、洗練された機能設計も提供される。
【００４５】
したがって、本発明は、図１および図３に全体が示される少なくとも２つの構成を有する機器を提供し、ユーザ・インターフェース、好ましくはディスプレイが、機器の第１の、閉じた構成と、機器の第２の、開いた構成とで使用される。したがって、ユーザ・インターフェースは２つのアクティブ動作モードを有する。
【００４６】
本発明の好ましい実施形態では、ハンドセットはさらに、第１の閉じた位置と第２の閉じた位置を共に実現するように適合される。したがって、この機器は、ユーザ・インターフェースが使用可能ではない第３の、閉じた構成を有する。したがって、ユーザ・インターフェースは非アクティブ動作モードをさらに有する。
【００４７】
したがって、有利には、スタンバイ・モード、スイッチオフ・モード、またはそれ以外の場合に、ディスプレイへのアクセスが不要であるとき、ハンドセットを第１の閉じた位置に配置して、ディスプレイが損傷しないように保護することができる。同様に、キーパッドが露出しないように保護することができる。
【００４８】
したがってユーザは、例えば、ハンドセットが開いた位置にある通常動作モードと、ディスプレイへのアクセスを提供する閉じた位置と、ディスプレイおよび任意の表面構成部品の保護を実現する閉じた位置とを選ぶことができる。
【００４９】
しかし、本発明は、第１の閉じた位置および第２の閉じた位置を提供するように適合されたハンドセットに限定されない。有利には、ユーザ・インターフェースにアクセス可能である閉じた位置を単に提供することによって本発明を利用することができる。
【００５０】
上記で論じたように、本発明の好ましい実施形態に従って適合された機器は、その構成、すなわち開いた状態か、ディスプレイにアクセス可能な閉じた状態か、それともディスプレイにアクセス不能な閉じた状態かに応じて、いくつかの可能なモードを有する。ハンドセットの閉じた構成のそれぞれでは、可能な動作モードの範囲が存在する可能性がある。しかし、ディスプレイにアクセス不能な閉じた位置にハンドセットがある場合、ユーザは、ハンドセットの現動作モードが何かを確認することができない。
【００５１】
本発明の別の好ましい実施形態によれば、ユーザは、ハンドセットについての好ましい構成を、閉じた構成ごとに決定することができる。閉じた構成は、ハンドセットがそれぞれの閉じた構成に配置されたときに自動的に選択される。
【００５２】
したがって、この実施形態では、ハンドセットは、開いている状態か、第１位置の閉じた状態（内向きに折りたたまれた状態）か、それとも第２位置の閉じた状態（外向きに折りたたまれた状態）かを自動的に検出することができる。そのような状態の検出に応答して、ハンドセットは、自動的に所定の動作状態に入る。動作状態はユーザが選ぶことが好ましいが、製造業者が永続的に設定することもでき、または製造業者が初期デフォルトに設定することもできる。
【００５３】
様々な動作状態の例を以下で与える。開いた位置では、ハンドセットは、呼出しを行い、または呼出しに応えるように完全に使用可能である。第２の閉じた位置（外向きに折りたたまれた位置）では、ディスプレイは可視であり、電話は、着信呼出しを待機するスタンバイ状態にある。加えて、着信呼出しを識別し、時計などの電話の受動的機能を使用するために、ディスプレイを通常の方式で使用することができる。キーパッドは、不慮の活動化を防止するために非活動化されることが好ましい。第１の閉じた位置では、ハンドセットはスイッチオフされ、ディスプレイおよびすべての表面構成部品が保護される。
【００５４】
図４Ａ、４Ｂ、および４Ｃを参照すると、部材６、８を接続するための接続手段の例示的実装が与えられている。図４を参照すると、各部材６、８は、その一端に枢動手段５０、５２をそれぞれ備える。枢動手段５０、５２はピンであることが好ましい。ピン５０および５２はそれぞれ、末端部で接続手段４に接続される。この実施形態では、接続手段４は、部材６、８の同じ側で枢動手段の端部を接続するためのフラット部分をそれぞれ有し、好ましくは固定手段（図４Ａ、４Ｂおよび４Ｃには図示せず）によってさらに相互接続される２つの部品を備える。
【００５５】
２つの部材６、８を接続するための手段の特定の実装は、本発明の範囲外である。そのような接続を実施する様々な手段を当業者は理解されよう。図４の構成は、単に例示のための例示的構成に過ぎない。
【００５６】
部材６、８を相互接続するための代替手段を提供できることが考えられる。例えば、部材６、８の一方または他方を個々に回転可能にすることができ、それによって、機器が開いた位置にある場合に、一方の部材のどちらかの表面が他方の部材の一方の面に対して閉じることができるように、その一方の部材を旋回させることができる。
【００５７】
図４（Ａ）は、ディスプレイ１８などのユーザ・インターフェースが第１アクティブ動作モードにある、開いた構成の機器を示す。図４（Ｃ）は、ディスプレイ１８などのユーザ・インターフェースが第２アクティブ動作モードにある、第１の閉じた構成の機器を示す。図４（Ｂ）に、ディスプレイ１８などのユーザ・インターフェースが非アクティブ動作モードにある、第２の閉じた構成の機器を示す。
【００５８】
本明細書では、特定の例を参照しながら本発明を説明したが、本発明をそのような例に限定する必要はないことを当業者は理解されよう。本発明の原理から逸脱しない、記載の例に対する様々な修正および適合が、当業者には明らかであろう。例えば、キーパッドを、底部筐体の、図４Ａ、４Ｂ、および４Ｃに示したのとは反対側に配置することができ、それによって、第１の閉じた位置では、キーパッドが保護され、ディスプレイが露出され、第２の閉じた位置では、ディスプレイが保護され、キーパッドが露出される。様々な動作状態の一例を以下で与える。開いた位置では、呼出しを行い、または呼出しに応えるようにハンドセットが完全に利用可能である。第１の閉じた位置では、ディスプレイは可視であるがキーパッドは可視ではなく、電話は、着信呼出しを待機するスタンバイ状態にある。加えて、着信呼出しを識別し、時計などの電話の受動的機能を使用するために、ディスプレイを通常の方式で使用することができる。キーパッドは、不慮の活動化を防止するために非活動化されることが好ましい。第２の閉じた位置では、ハンドセットはスイッチオフされ、ディスプレイおよびキーパッドが非活動化される。
【図１】
2010035196.tif 000003
【図２】
2010035196.tif 000004
【図３】
2010035196.tif 000005
【図４Ａ】
2010035196.tif 000006
【図４Ｂ】
2010035196.tif 000007
【図４Ｃ】
2010035196.tif 000008